(57)【特許請求の範囲】
【請求項１】
直方体状筐体の全ての稜線部に対応する骨組みに、ベース板と天井板を付設した構造であって、それぞれ同じ方形状のベース枠および天井枠と、ベース枠，天井枠それぞれの対応する各隅同士を連結する柱の４個と、柱の各端部とリベット締結されるコーナー押圧具とを備え、
柱は、その断面が中空方形で、その内側の角を含んでこれに連接する各辺の所定中間位置までが削除された方形筒体をなす板状部材であり、かつ、その縁部の天井枠側とベース枠側とには溝が形成されており、
ベース枠，天井枠は、それぞれベース板，天井板のいずれかとしての方形状平面部分と、その各辺部に連接されたＬ字形の折り返し部分とが一体的に形成され、平面部分の各角部の折り返し部分だけが柱の断面に対応して方形状に削除された板状部材であり、かつ、その折り返し部分の各角部には突起が形成されており、
コーナー押圧具は、柱の各端部で、その内側の二辺部の表面と接触するＬ字形の脚部分と、その各端部から直角に伸びてベース枠，天井枠それぞれの折り返し部分の底面と接触する平面部分とが一体的に形成された２段Ｌ字形の板状部材であり、
柱とコーナー押圧具の接触部には、それぞれに位置決め用のエンボス部が形成されるとともに、そこにリベット貫通用の穴が設けられ、柱の削除部分に係る二つの各縁部に形成された溝と、それぞれベース枠，天井枠の各折り返し部分の突起とを嵌め込み結合するとともに、コーナー押圧具のＬ字形の脚部分を柱の各端部にリベット締結することによって、ベース枠，天井枠それぞれをコーナー押圧具と柱とで挟圧固定するようにした、
ことを特徴とする筐体の骨組み構造。
【発明の詳細な説明】
【０００１】
【発明の属する技術分野】
この発明は、たとえば配電盤や制御盤などに適用される直方体状筐体の全稜線部に対応する骨組みに、ベース板と天井板を付設した構造であって、とくに寸法や直角度の組立精度が良く出せ、しかも製作コストの削減が図れる筐体の骨組み構造に関する。
【０００２】
【従来の技術】
従来の配電盤や制御盤などに適用される直方体状筐体の骨組み構造は、大別して、(1) 溶接による方法、(2) ボルト（ネジ）締結による方法、(3) 接着による方法、等で製作されてきた。
【０００３】
【発明が解決しようとする課題】
従来の三つの方法には、それぞれ次に述べるような欠点がある。
(1) 溶接による方法には、▲１▼溶接時の局所加熱によって寸法や直角度に狂いが生じやすく、また表面を損なう溶接痕が生じる。したがって、その修正・除去のために機械的修正と表面仕上げによる修正がおこなわれるが、これには熟練と工数を要する、▲２▼溶接の作業環境が悪い、▲３▼溶接による組立工程後に塗装工程がおこなわれ、しかも大形になるから工程間の輸送コストがかかる。
【０００４】
(2) ボルト締結による方法には、▲１▼本質的に存在するボルトと貫通穴との隙間による組立精度の低下が避けられない、▲２▼接合箇所にボルト，座金，バネ座金，ナットなどの部品の組を要するから、全作業に非常に多くの部品点数を要する、▲３▼ネジ締結に係る作業品質維持のために面倒なトルク管理が必須である。
(3) 接着による方法には、▲１▼接着作業のために関係部材の固定治具や仮固定用のネジ立てなど面倒な準備作業を要する、▲２▼接着剤の調合・供給作業が面倒であり、一定の硬化時間を要し、はみ出した接着剤の除去が面倒である、▲３▼接着面積をとるための設計を必要とする。
【０００５】
要するに、従来方法に共通して言えることは、骨組みの組立精度（寸法，直角度）が悪く、一般にその修正作業が困難なので、結果的に組立精度が若干悪いままで残って製品の品質を低下させ、かつその修正のために作業者の高度な熟練と多くの作業工数を必要として全体コストを増大させることである。
この発明が解決しようとする課題は、従来の技術がもつ以上の問題点を解消して、寸法や直角度の組立精度が良く出せ、しかも製作コストの削減が図れる筐体の骨組み構造を提供することにある。
【０００６】
【課題を解決するための手段】
この発明は、直方体状筐体の全ての稜線部に対応する骨組みに、ベース板と天井板を付設した構造であって、それぞれ同じ方形状のベース枠および天井枠と、ベース枠，天井枠それぞれの対応する各隅同士を連結する柱の４個と、柱の各端部とリベット締結されるコーナー押圧具とを備え、
柱は、その断面が中空方形で、その内側の角を含んでこれに連接する各辺の所定中間位置までが削除された方形筒体をなす板状部材であり、かつ、その縁部の天井枠側とベース枠側とには溝が形成されており、
ベース枠，天井枠は、それぞれベース板，天井板のいずれかとしての方形状平面部分と、その各辺部に連接されたＬ字形の折り返し部分とが一体的に形成され、平面部分の各角部の折り返し部分だけが柱の断面に対応して方形状に削除された板状部材であり、かつ、その折り返し部分の各角部には突起が形成されており、
コーナー押圧具は、柱の各端部で、その内側の二辺部の表面と接触するＬ字形の脚部分と、その各端部から直角に伸びてベース枠，天井枠それぞれの折り返し部分の底面と接触する平面部分とが一体的に形成された２段Ｌ字形の板状部材であり、
柱とコーナー押圧具の接触部には、それぞれに位置決め用のエンボス部が形成されるとともに、そこにリベット貫通用の穴が設けられ、柱の削除部分に係る二つの各縁部に形成された溝と、それぞれベース枠，天井枠の各折り返し部分の突起とを嵌め込み結合するとともに、コーナー押圧具のＬ字形の脚部分を柱の各端部にリベット締結することによって、ベース枠，天井枠それぞれをコーナー押圧具と柱とで挟圧固定するようにした、ことを特徴とする。
【０００７】
また、この発明は、コーナー押圧具が、高剛性構造の板状部材、たとえば板厚を厚くしたり、または補強用の折曲げ部やリブを設けた板状部材である、ことが好ましい。
したがって、この発明では、４個の柱の各端部を、ベース枠，天井枠それぞれの各角部の削除部分（中空部分）に嵌め込むとともに、柱の削除部分に係る二つの各縁部を、ベース枠，天井枠それぞれの折り返し部分に、たとえば縁部を溝に挿入する形で嵌め込む。次に、コーナー押圧具を柱にリベット締結することによって、ベース枠，天井枠それぞれを位置決めされたコーナー押圧具と柱とで挟圧固定し、ベース枠，天井枠それぞれと柱の直角度を精度良く出すことができる。ここで、コーナー押圧具が高剛性構造の板状部材であるときには、その弾性変形が抑えられるから、直角度の精度出しを支援することができる。
【０００８】
【発明の実施の形態】
この発明に係る実施例を以下に図を参照しながら説明する。まず、実施例の全体的外観について、その斜視図である図５を参照しながら説明する。図５において、この実施例は、たとえば配電盤や制御盤などに適用される直方体状筐体の全稜線部に対応する骨組み、つまりベース枠20の各折り返し部分（枠）22,23 の相対する部分を含めて合計４個と、天井枠30の各折り返し部分（枠）32,33 の相対する部分を含めて合計４個と、柱10の４個とに、下部の平面部分（ベース板）21と、上部の平面部分（天井板）31を付設した構造である。
【０００９】
図１は実施例の要部（図５のＡ部）の斜視図、図２は実施例の要部の平面図である。ここでは、柱10の下端部と、ベース枠20の手前側の一隅部と、コーナー押圧具40を代表的に示してあるが、天井枠30に関しても同様の構成である。この骨組み構造は、方形状のベース枠20と、図示してない天井枠30（図５参照）と、それぞれの対応する各隅同士を連結する柱10の４個と、柱10の上下の各端部とリベット締結されるコーナー押圧具40とからなる。
【００１０】
柱10は、その断面が中空方形で、その内側の角から、向こう側の長辺の所定中間位置までが削除された、ほぼ方形筒体をなす板状部材である。ベース枠20は、概略的に言えば、方形の平面部分の各辺部にＬ字形の枠部分が連接された形状の板状部材である。詳しくは、方形状平面部分（ベース板）21と、その各辺部に連接されたＬ字形の折り返し部分（枠）22,23 （相対する辺部にもある）とが一体的に形成され、しかも平面部分21の各角部の折り返し部分22,23 だけが柱10の断面に対応して方形状に削除されている。また、この削除部分に隣接する各折り返し部分22,23 にそれぞれ突起24とスリット状の溝25が形成される。
【００１１】
コーナー押圧具40は、柱10の各端部で、その内側の二辺部の表面と接触するＬ字形部分41と、その各端部から直角に伸びてベース枠20の各折り返し部分22,23 の底面と接触する各平面部分42,43 とが一体的に形成された、２段Ｌ字形の板状部材である（図２参照）。コーナー押圧具40には剛性をもたせるために、板厚を他の柱10やベース枠20より厚くし、しかもＬ字形部分41と各平面部分42,43 の縁には押圧に対する補強用の折曲部46,47,48がそれぞれ一体的に付設される。
【００１２】
柱10とコーナー押圧具40の接触部には、それぞれに位置決め用のエンボス部が形成されるとともに、そこにリベット貫通用の穴が設けられる。すなわち、柱10には、向こう側の短辺部と、左側の長辺部で削除されて残った部分とに、それぞれエンボス部14と穴14a の組の２組、エンボス部15と穴15a の組の２組が形成され、これに対応してコーナー押圧具40には、Ｌ字形部分41の各脚部に、それぞれエンボス部44と穴44a の組の２組、エンボス部45と穴45a の組の２組が形成される。なお図２において、この実施例では、柱10の内側の角から長辺部だけが削除され、短辺部は削除されてない、言い換えれば短辺部の削除は角の位置までに止めてある。これは、短辺部の削除をすると、後述するリベット締結に必要な長さが短辺部側にとれなくなるためで、あくまで設計上の問題である。要は削除によって長短の各辺に、後述する嵌め込みに必要な縁部を形成するのが眼目であるから、一般的には、内側の角を含んでこれに連接する長短の各辺の所定中間位置までが削除される。
【００１３】
以上の各部材の組み立ては次のようにおこなわれる。まず、柱10の二つの各縁部11,12 に予め各溝18,19 を形成し、この各溝18,19 の箇所で各縁部11,12 を、ベース枠20の各折り返し部分22,23 に形成した突起24と溝25にそれぞれ嵌め込んで、いわゆる嵌め込み結合をとる。次に、コーナー押圧具40を実線位置から破線位置まで矢印方向に移動させ、柱10と対応するエンボス部同士を嵌合させて位置決めし、共通な穴を介してリベット50を貫通させてリベット締結する（図２のＢ部参照）。リベット締結することによって、ベース枠20を、エンボス部同士の嵌合によって位置決めされたコーナー押圧具40と柱10とで挟圧固定し、同時にベース枠20に対する柱10の直角度を精度良くすることができる。なお、このリベット締結については、詳しく後述する。
【００１４】
リベット締結について、図３と図４を参照しながら説明する。図３はリベット締結箇所（図２のＢ部）の締結前の断面図、図４はリベット締結箇所の締結後の断面図である。図３において、リベット締結するためには、リベット50とこれを貫通する締結用の補助材51の組を締結用ユニットとし、別に図示してない専用の締結工具が用いられる。リベット50は、丸形頭部と胴体からなる一体構造で、その軸線方向に貫通穴があけられる。補助材51は、リベット50の胴体と同じ直径の円柱状右端部と、左側の直径のやや小さい軸部分からなる一体構造で、その軸部分がリベット50を貫通して一つのユニットを構成する。補助材51で、右端部と軸部分の段差箇所に斜面が形成さる。その右端面の斜面は単なる面取りである。さて、リベット50と補助材51からなる締結用ユニットを、各エンボス部15,45 同士を嵌め合わせて位置決めされたコーナー押圧具40と柱10の左側から、同軸の各穴15a,45a に挿入し貫通させる（図は貫通前）。
【００１５】
図４において、図示してない締結工具によって、リベット50の頭部をコーナー押圧具40の左側面に押し付けながら、補助材51を左側の軸部分で把持して左方向に牽引し、右端部の左斜面を介してリベット50の胴体の右端部を外方に押し広げると同時に、補助材51の背面側に残る部分を拡大させてコーキングし、コーナー押圧具40と柱10を締結する。締結終了後に、リベット50の頭部から左側に突出した、補助材51の軸部分が切断除去され、補助材51の右端部はリベット50のコーキング部分とともに圧着残留して図示の状態になる。
【００１６】
【発明の効果】
この発明によれば、寸法や直角度の組立精度が良く出せ、しかも製作コストの削減が図れる、という基本的な効果がある。その要因は、精度良く加工された部材同士を嵌め込み結合とリベット締結によって常温で組み立てた点にある。すなわち、４個の柱の各端部を、ベース枠，天井枠それぞれの各角部の中空部分に嵌め込むとともに、柱の削除した二つの各縁部を、ベース枠，天井枠それぞれの折り返し部分に嵌め込み、次にコーナー押圧具を柱にリベット締結することによって、ベース枠，天井枠それぞれを、エンボス部を介して正確に位置決めされたコーナー押圧具と柱とで挟圧固定する。したがって、そのままで寸法や直角度の組立精度が良く出せ、修正作業が不要であるから、作業者の高度な熟練も多くの作業工数も不要となって、製作コストの削減が可能になる。また、コーナー押圧具を高剛性構造にすることで組立精度の向上が支援される。
【００１７】
その他の付随的な効果として、各部材を予め塗装，メッキ等の表面仕上げし、その部材の状態で組立作業場まで輸送するから、従来の組立状態での輸送と異なって、輸送による表面損傷の恐れが抑えられ、かつ工程間の輸送コストが削減される。また、作業管理の面倒な溶接や、ボルト（ネジ）締結、接着剤による結合によらないから、作業者の技能による品質のバラツキが少なくなる（品質の安定化）。
【図面の簡単な説明】
【図１】この発明に係る実施例の要部の斜視図
【図２】実施例の要部の平面図
【図３】リベット締結箇所の締結前の断面図
【図４】リベット締結箇所の締結後の断面図
【図５】実施例の斜視図
【符号の説明】
１０    柱
１１，１２    縁部
１４，１５    エンボス部
１４ａ，１５ａ  穴
１８，１９    溝
２０    ベース枠
２１    平面部分（ベース板）
２２，２３    折り返し部分（枠）
２４    突起
２５    溝
２６    削除部分
３０    天井枠
３１    平面部分（天井板）
３２，３３    折り返し部分（枠）
４０    コーナー押圧具
４１    Ｌ字形部分
４２，４３    平面部分
４４，４５    エンボス部
４４ａ，４５ａ  穴
４６，４７，４８    折曲部
５０    リベット
５１    補助材
【図１】
0003994452.tif 000002
【図２】
0003994452.tif 000003
【図３】
0003994452.tif 000004
【図４】
0003994452.tif 000005
【図５】
0003994452.tif 000006